(57)【要約】【課題】ＬＡＮケーブルをＬＡＮモジュラージャックに対して安定して接続することができるＬＡＮタップを提供する。【解決手段】タップ本体１１の下面には、ＬＡＮプラグ２３が挿入されるプラグ接続部１２が設けられ、タップ本体１１の側面には、ＬＡＮモジュラージャック２２に挿入するモジュラージャック接続部１３が突出して設けられている。プラグ接続部１２とモジュラージャック接続部１３とは、配線１４により接続されている。【選択図】図１
2013197032.tif 000002
【特許請求の範囲】
【請求項１】
ＬＡＮケーブルをＬＡＮモジュラージャックに接続するＬＡＮタップであって、
タップ本体の下面に設けられ、ＬＡＮプラグが挿入されるプラグ接続部と、
タップ本体の側面に突出して設けられ、ＬＡＮモジュラージャックに挿入するモジュラージャック接続部と、
このモジュラージャック接続部の上面に設けられ、ＬＡＮモジュラージャックに係止されることにより前記モジュラージャック接続部をＬＡＮモジュラージャックに固定する固定ピンと、
タップ本体の上面に設けられ、押圧することにより前記固定ピンを下げ、前記モジュラージャック接続部をＬＡＮモジュラージャックから取り外し可能とする取外スイッチと
を備えたことを特徴とするＬＡＮタップ。
【発明の詳細な説明】
【技術分野】
【０００１】
本発明は、ＬＡＮケーブルをＬＡＮモジュラージャックに接続するＬＡＮタップに関する。
【背景技術】
【０００２】
ネットワークに通信機器等を接続する際には、例えば、通信機器等に接続したＬＡＮケーブルを壁面に設けられたＬＡＮモジュラージャックに接続する。一般に、ＬＡＮケーブルは、ＬＡＮプラグに対して、差し込み方向と反対側に伸長するように取り付けられている（例えば、特許文献１参照）。よって、例えば、図３に示したように、ＬＡＮプラグ２３をＬＡＮモジュラージャック２２に差し込むと、壁面２４に対して垂直方向にＬＡＮケーブル２１が伸長される。
【０００３】
そのため、ＬＡＮケーブル２１が浮いた状態となり、固定されずに不安定であるため、接触等によりＬＡＮケーブル２１が上下に動きやすく、ＬＡＮプラグ２３とＬＡＮモジュラージャック２２との接触不良が生じる恐れがあった。また、ＬＡＮケーブル２１に接触した際に、ＬＡＮケーブル２１とＬＡＮプラグ２３との接続部分が破損する恐れもあった。更に、ＬＡＮケーブル２１を傷つけないように、家具などを壁面２４から一定の空間を開けて配置しなければならず、空間を自由に使用できないという問題もあった。
【先行技術文献】
【特許文献】
【０００４】
【特許文献１】特開２００７−３５５６８号公報
【発明の概要】
【発明が解決しようとする課題】
【０００５】
本発明は、このような問題に基づきなされたものであり、ＬＡＮケーブルをＬＡＮモジュラージャックに対して安定して接続することができるＬＡＮタップを提供することを目的とする。
【課題を解決するための手段】
【０００６】
本発明のＬＡＮタップは、ＬＡＮケーブルをＬＡＮモジュラージャックに接続するものであって、タップ本体の下面に設けられ、ＬＡＮプラグが挿入されるプラグ接続部と、タップ本体の側面に突出して設けられ、ＬＡＮモジュラージャックに挿入するモジュラージャック接続部と、このモジュラージャック接続部の上面に設けられ、ＬＡＮモジュラージャックに係止されることによりモジュラージャック接続部をＬＡＮモジュラージャックに固定する固定ピンと、タップ本体の上面に設けられ、押圧することにより固定ピンを下げ、モジュラージャック接続部をＬＡＮモジュラージャックから取り外し可能とする取外スイッチとを備えたものである。
【発明の効果】
【０００７】
本発明のＬＡＮタップによれば、モジュラージャック接続部を側面に設け、プラグ接続部を下面に設けるようにしたので、ＬＡＮケーブルを壁面と平行に、下に向かって伸長させて接続することができる。よって、ＬＡＮケーブルを安定してＬＡＮモジュラージャックに接続することができ、ＬＡＮプラグとＬＡＮモジュラージャックとの接触不良の発生を防止することができる。また、ＬＡＮケーブルの破損も防止することができ、買い替え等の費用を削減することができる。更に、ＬＡＮケーブルが壁面から突出する量が小さくなるので、家具などを壁面に近付けて配置することができ、自由に使用できる空間を広くすることができる。
【図面の簡単な説明】
【０００８】
【図１】本発明の一実施の形態に係るＬＡＮタップの構成を表す図である。
【図２】図１に示したＬＡＮタップの使用状態を表す図である。
【図３】従来のＬＡＮケーブルとＬＡＮモジュラージャックとの接続状態を表す図である。
【発明を実施するための形態】
【０００９】
以下、本発明の実施の形態について、図面を参照して詳細に説明する。
【００１０】
図１は、本発明の一実施の形態に係るＬＡＮタップ１０の部分断面構成を表わすものであり、図２は、図１に示したＬＡＮタップ１０の使用状態を表すものである。このＬＡＮタップ１０は、ＬＡＮケーブル２１をＬＡＮモジュラージャック２２に接続するものである。このＬＡＮタップ１０は、例えば、略直方体状のタップ本体１１を有しており、タップ本体１１の下面には、ＬＡＮプラグ２３が挿入されるプラグ接続部１２が設けられている。
【００１１】
タップ本体１１の一側面には、ＬＡＮモジュラージャック２２に挿入するモジュラージャック接続部１３が突出して設けられている。プラグ接続部１２と、モジュラージャック接続部１３とは、例えば、配線１４により接続されている。モジュラージャック接続部１３の上面には、モジュラージャック接続部１３をＬＡＮモジュラージャック２２に挿入した際に、ＬＡＮモジュラージャック２２に係止されることによりモジュラージャック接続部１３をＬＡＮモジュラージャック２２に固定する固定ピン１５が設けられている。
【００１２】
タップ本体１１の上面には、押圧することにより固定ピン１５を押し下げ、モジュラージャック接続部１３をＬＡＮモジュラージャック２２から取り外し可能とする取外スイッチ１６が設けられている。固定ピン１５は、例えば、取外スイッチ１６の下方まで伸長されている。固定ピン１５と取外スイッチ１６との間には、例えば、ばね等の付勢部材１７が配設されており、取外スイッチ１６を押圧した後に取外スイッチ１６をもとに戻すことができるようになっている。
【００１３】
このＬＡＮタップ１０を用いる際には、例えば、壁面２４に設けられているＬＡＮモジュラージャック２２にモジュラージャック接続部１３を挿入し、プラグ接続部１２にＬＡＮケーブル２１が接続されているＬＡＮプラグ２３を挿入する。これにより、ＬＡＮケーブル２１を壁面２４と平行に、下に向かって伸長させて接続することができる。ＬＡＮタップ１０を取り外す際には、取外スイッチ１６を押圧することにより、固定ピン１５を押し下げて固定ピン１５をＬＡＮモジュラージャック２２から外し、モジュラージャック接続部１３をＬＡＮモジュラージャック２２から引き抜く。
【００１４】
このように本実施の形態によれば、モジュラージャック接続部１３を側面に設け、プラグ接続部１２を下面に設けるようにしたので、ＬＡＮケーブル２１を壁面２４と平行に、下に向かって伸長させて接続することができる。よって、ＬＡＮケーブル２１を安定してＬＡＮモジュラージャック２２に接続することができ、ＬＡＮプラグ２１とＬＡＮモジュラージャック２２との接触不良の発生を防止することができる。また、ＬＡＮケーブル２１の破損も防止することができ、買い替え等の費用を削減することができる。更に、ＬＡＮケーブル２１が壁面２４から突出する量が小さくなるので、家具などを壁面２４に近付けて配置することができ、自由に使用できる空間を広くすることができる。
【００１５】
以上、実施の形態を挙げて本発明を説明したが、本発明は上記実施の形態に限定されるものではなく、種々変形可能である。例えば、上記実施の形態で説明した各構成要素を全て備えていなくてもよく、また、他の構成要素を備えていてもよい。更に、上記実施の形態では、各構成要素について具体的に構造を説明したが、他の構造を有するように構成してもよい。
【産業上の利用可能性】
【００１６】
ＬＡＮケーブルの接続に用いることができる。
【符号の説明】
【００１７】
１０…ＬＡＮタップ、１１…タップ本体、１２…プラグ接続部、１３…モジュラージャック接続部、１４…配線、１５…固定ピン、１６…取外スイッチ、１７…付勢部材、２１…ＬＡＮケーブル、２２…ＬＡＮモジュラージャック、２３…ＬＡＮプラグ、２４…壁面
【図１】
2013197032.tif 000003
【図２】
2013197032.tif 000004
【図３】
2013197032.tif 000005
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
ＬＡＮケーブルをＬＡＮモジュラージャックに接続するＬＡＮタップであって、
略直方体状のタップ本体と、
このタップ本体の下面に設けられ、ＬＡＮプラグが挿入されるプラグ接続部と、
前記タップ本体の側面に対して、上面及び下面から所定の間隔を開けた位置に突出して設けられ、ＬＡＮモジュラージャックに挿入するモジュラージャック接続部と、
このモジュラージャック接続部の上面に設けられ、ＬＡＮモジュラージャックに係止されることにより前記モジュラージャック接続部をＬＡＮモジュラージャックに固定する固定ピンと、
前記タップ本体の上面に設けられ、押圧することにより前記固定ピンを下げ、前記モジュラージャック接続部をＬＡＮモジュラージャックから取り外し可能とする取外スイッチと
を備えたことを特徴とするＬＡＮタップ。
【手続補正２】
【補正対象書類名】明細書
【補正対象項目名】０００６
【補正方法】変更
【補正の内容】
【０００６】
本発明のＬＡＮタップは、ＬＡＮケーブルをＬＡＮモジュラージャックに接続するものであって、略直方体状のタップ本体と、このタップ本体の下面に設けられ、ＬＡＮプラグが挿入されるプラグ接続部と、タップ本体の側面に対して、上面及び下面から所定の間隔を開けた位置に突出して設けられ、ＬＡＮモジュラージャックに挿入するモジュラージャック接続部と、このモジュラージャック接続部の上面に設けられ、ＬＡＮモジュラージャックに係止されることによりモジュラージャック接続部をＬＡＮモジュラージャックに固定する固定ピンと、タップ本体の上面に設けられ、押圧することにより固定ピンを下げ、モジュラージャック接続部をＬＡＮモジュラージャックから取り外し可能とする取外スイッチとを備えたものである。